(57)【要約】【課題】ユーザがメニュー画面において、所望の機能に対応する項目を各階層で選択しなくても、上位の階層の項目との関連及び下位の階層の設定内容を把握することのできる非破壊検査装置を実現する。【解決手段】内視鏡装置１は、非破壊検査装置であって、モニタ上に階層構造でメニュー画面を表示するための指示を入力するためのメニュー表示指示部と、メニュー表示指示部により指示されて表示された前記メニュー画面において選択された階層の表示部を、その選択された階層よりも上位及び下位の階層の表示部に比べて強調して表示し、選択された階層の表示部を強調して表示しているとき、選択された階層に関連する上位の階層における項目を識別可能に表示し、選択された階層の項目に関連する下位の階層における項目のうち、既に設定されている項目を識別可能に表示する表示制御部とを有する。【選択図】図７
2011065482.tif 000002
【特許請求の範囲】
【請求項１】
非破壊検査装置であって、
モニタ上に階層構造でメニュー画面を表示するための指示を入力するためのメニュー表示指示部と、
前記メニュー表示指示部により指示されて表示された前記メニュー画面において選択された階層の表示部を、その選択された階層よりも上位及び下位の階層の表示部に比べて強調して表示し、前記選択された階層の表示部を強調して表示しているとき、前記選択された階層に関連する前記上位の階層における項目を識別可能に表示し、前記選択された階層の項目に関連する前記下位の階層における項目のうち、既に設定されている項目を識別可能に表示する表示制御部と、
を有することを特徴とする非破壊検査装置。
【請求項２】
前記表示制御部は、前記選択された階層の表示部を前記上位の階層の項目が見えるように前記上位の階層の表示部の上に重ねるように表示し、かつ前記下位の階層の表示部を前記選択された階層の項目が見えるように前記選択された階層の表示部の上に重ねるように表示することを特徴とする請求項１に記載の非破壊検査装置。
【請求項３】
前記選択された階層の表示部には、前記上位の階層において選択された項目の内容を示す文字が表示され、前記下位の階層の表示部には、前記選択された階層において選択可能状態の項目の内容を示す文字が表示されることを特徴とする請求項１又は２に記載の非破壊検査装置。
【請求項４】
前記下位の階層の表示部において、前記下位の階層における項目の内容を示す文字が表示されることを特徴とする請求項１から３の何れか１項に記載の非破壊検査装置。
【発明の詳細な説明】
【技術分野】
【０００１】
本発明は、非破壊検査装置に関し、特に、画像等の検査データを記録可能な非破壊検査装置に関する。
【背景技術】
【０００２】
従来より、検査対象物の内部を検査するために、非破壊検査装置の一つである内視鏡装置が広く利用されている。  
例えば、プラント、航空機エンジン等の検査対象の内部は、工業用の内視鏡装置を用いて、検査者は、内部を撮像し、観察することができる。検査者は、内視鏡画像を、検査中に静止画あるいは動画で、内視鏡装置の記憶装置、例えばメモリカード等の記録媒体、に記録することができる。その記録された内視鏡画像の画像データは、内視鏡装置からPC等の記憶装置にダウンロードされて、後で詳細な検査が行われる。
【０００３】
このような内視鏡装置には、各種機能が設けられている。各種機能は、モニタ上に表示された階層構造の項目を、各階層において対応する項目を順番に選択することによって、ユーザは、所望の機能を選択することができる。例えば、画像の記録を、静止画で行うのか、静止画と動画の両方で行うのかの設定は、各階層の項目を選択して、最終的に、静止画と動画のいずれで行うのかを設定する画面が表示されて、その画面を見てユーザは、画像の記録の設定を行うことができる。
【０００４】
また、特開２００４−１２１８５５号には、内視鏡装置において、各機能をグラフィック表示により、ユーザに機能を分かり理解し易くする技術が開示されている。
【先行技術文献】
【特許文献】
【０００５】
【特許文献１】特開２００４−１２１８５５号公報
【発明の概要】
【発明が解決しようとする課題】
【０００６】
しかし、従来の内視鏡装置では、ある機能に対応する項目を、階層構造の上位から下位の各階層で順番に選択していき、最後に設定状態を示す画面が表示されるまでは、ユーザは、その機能の設定内容を把握することが出来なかった。また、ユーザは、各階層において、上位の階層との関連も把握することができなかった。  
上記の特開２００４−１２１８５５号公報の技術においても、ユーザは、メニュー画面においてその機能あるいは項目の設定内容を把握することはできない。
【０００７】
そこで、本発明は、ユーザがメニュー画面において、所望の機能に対応する項目を各階層で選択しなくても、上位の階層の項目との関連及び下位の階層の設定内容を把握することのできる非破壊検査装置を提供することを目的とする。
【課題を解決するための手段】
【０００８】
本発明の一態様によれば、非破壊検査装置であって、モニタ上に階層構造でメニュー画面を表示するための指示を入力するためのメニュー表示指示部と、前記メニュー表示指示部により指示されて表示された前記メニュー画面において選択された階層の表示部を、その選択された階層よりも上位及び下位の階層の表示部に比べて強調して表示し、前記選択された階層の表示部を強調して表示しているとき、前記選択された階層に関連する前記上位の階層における項目を識別可能に表示し、前記選択された階層の項目に関連する前記下位の階層における項目のうち、既に設定されている項目を識別可能に表示する表示制御部とを有する非破壊検査装置を提供することができる。
【発明の効果】
【０００９】
本発明によれば、ユーザがメニュー画面において、所望の機能に対応する項目を各階層で選択しなくても、上位の階層の項目との関連及び下位の階層の設定内容を把握することのできる非破壊検査装置を実現することができる。
【図面の簡単な説明】
【００１０】
【図１】本発明の実施の形態に係わる内視鏡装置の外観構成図である。
【図２】本発明の実施の形態に係わる操作部５の各部を説明するための斜視図である。
【図３】本発明の実施の形態に係わる本体部２のハードウエア構成を説明するための内視鏡装置１のブロック図である。
【図４】本発明の実施の形態に係わるフリーズボタン５ｋが押下されたときの処理の流れの例を示すフローチャートである。
【図５】本発明の実施の形態に係わるLCD４に表示される画面の遷移の例を説明するための図である。
【図６】本発明の実施の形態に係わるメニュー画面G2の構成を示す図である。
【図７】本発明の実施の形態に係わるステップS4の処理の内容を示すフローチャートである。
【図８】本発明の実施の形態に係わるタイトル入力可能状態のメニュー画面G2b1を示す図である。
【図９】本発明の実施の形態に係わる文字入力の例を示す図である。
【図１０】本発明の実施の形態に係わるリトリーブ画面の例を示す図である。
【図１１】本発明の実施の形態に係わる、リトリーブ画面のメニュー画面G12の構成を示す図である。
【図１２】本発明の実施の形態に係わるアイコン１１１ｂ２が選択可能状態であるメニュー画面G12を示す図である。
【図１３】本発明の実施の形態に係わる新規フォルダ作成のための画面G12b3を示す図である。
【図１４】本発明の実施の形態に係わるアイコン１０１ｂ２が選択可能状態であることを示す図である。
【図１５】本発明の実施の形態に係わるホワイトバランスの実行可能状態のメニュー画面G2b2を示す図である。
【図１６】本発明の実施の形態に係わるアイコン１０１ｂ３が選択可能状態であることを示す図である。
【図１７】本発明の実施の形態に係わる記録が選択されたときのメニュー画面G2b3を示す図である。
【図１８】本発明の実施の形態に係わる記録ボタン操作が選択されたときのメニュー画面G2baを示す図である。
【図１９】本発明の実施の形態に係わるアイコン１０１ｂ４が選択可能状態であることを示す図である。
【図２０】本発明の実施の形態に係わる日時設定の実行可能状態のメニュー画面G2b4を示す図である。
【図２１】本発明の実施の形態に係わる日時設定の実行可能状態のメニュー画面G2b4を示す図である。
【図２２】本発明の実施の形態に係わる日時設定の実行可能状態のメニュー画面G2b4を示す図である。
【図２３】本発明の実施の形態に係わるアイコン１０１ｂ５が選択可能状態であることを示す図である。
【図２４】本発明の実施の形態に係わるセットアップが選択されたときのメニュー画面G2b5を示す図である。
【図２５】本発明の実施の形態に係わるフォーマットが選択されたときのメニュー画面G2b51を示す図である。
【図２６】本発明の実施の形態に係わるセットアップが選択されたときのメニュー画面G2b5を示す図である。
【図２７】本発明の実施の形態に係わる画面表示が選択されたときのメニュー画面G2b52を示す図である。
【図２８】本発明の実施の形態に係わるセットアップが選択されたときのメニュー画面G2b5を示す図である。
【図２９】本発明の実施の形態に係わるビープ音設定が選択されたときのメニュー画面G2b53を示す図である。
【図３０】本発明の実施の形態に係わるアイコン１０１ｂ６が選択可能状態であることを示す図である。
【図３１】本発明の実施の形態に係わるアイコン１１１ｂ５が選択されると表示される画面G12b5を示す図である。
【図３２】本発明の実施の形態に係わる、内視鏡装置１のLCD４の画面遷移を示す図である。
【発明を実施するための形態】
【００１１】
以下、図面を参照して本発明の実施の形態を説明する。  
１．全体構成
まず図１に基づき、本実施の形態に係わる内視鏡装置の構成を説明する。図１は、本実施の形態に係わる内視鏡装置の外観構成図である。  
内視鏡装置１は、非破壊検査装置の一つであり、検査対象を分解等することなく、内部を観察して検査することのできる検査装置である。
【００１２】
図１において、内視鏡装置１は、メインユニットである本体部２と、本体部２に接続されるスコープユニット３とを含んで構成される。本体部２は、内視鏡画像、操作メニュー等が表示される表示装置としての液晶パネル（以下、LCDと略す）４を有する。スコープユニット３は、操作部５を有し、接続ケーブルであるユニバーサルケーブル６により、本体部２と接続され、可撓性の挿入チューブからなる挿入部７を有する。挿入部７の先端部８には、図示しない撮像素子、例えばCCD等、が内蔵され、撮像素子の撮像面側には、レンズ等の撮像光学系が配置されている。先端部８の基端側には、湾曲部９が設けられている。先端部８には、光学アダプタ１０が取り付け可能になっている。  
撮像して得られた画像データは、検査対象の検査データであり、メモリカード等の記録媒体１５に記録され、その記憶媒体１５は、本体部２に設けられたスロット１９に対して着脱可能となっている（図３参照）。
【００１３】
図２は、操作部５の各部を説明するための斜視図である。図１と図２を用いて、操作部５の各部について説明する。  
操作部５は、グリップ部５ａを有し、検査者であるユーザは、グリップ部５ａを手で把持することによって、操作部５を持つことができる。また、操作部５の一側面には、操作部５を本体部２に固定するためのハンガー５ｂが設けられており、ユーザは、本体部２の図示しないフック部にハンガー５ｂを係止させることによって、操作部５を本体部２に掛けることができる。
【００１４】
グリップ部５ａには、ライブの内視鏡画像を表示するためのライブ画面表示ボタン５ｃ、メニュー画面を表示するためのメニュー表示ボタン５ｄ、メニュー選択のためのジョイスティック５ｅ、及び記録された画像をサムネイル画像で表示するリトリーブ画面表示のためのビューボタン５ｆが配設されている。
【００１５】
ジョイスティック５ｅは、モニタであるLCD４の画面上のカーソルの移動だけのためでなく、ジョイスティック５ｅを押下することによって、その選択状態の確定を指示することもできる確定ボタンの機能も有する。
【００１６】
グリップ部５ａの基端部には、湾曲部９の湾曲操作のためのジョイスティック５ｇが配設されている。ユーザから見てジョイスティック５ｇの右側に、画像のズームを行うためのズームレバー５ｈが配設されている。ユーザから見てジョイスティック５ｇの左側に、観察画像の明るさを調整するための輝度レバー５ｉが配設されている。さらに、ジョイスティック５ｇの左側と右側には、それぞれ、輝度レバー５ｉとズームレバー５ｈよりも離れた位置に、観察画像のフリーズあるいは記録のためのフリーズボタン５ｋが２つ配設されている。ユーザは、操作部５のグリップ５ａを把持しながら、これらのボタン等を操作することによって、検査対象の内部の観察、画像の記録、等をすることができる。
２．回路構成
図３は、本体部２のハードウエア構成を説明するための内視鏡装置１のブロック図である。本体部２は、CPU１１と、ROM１２と、RAM１３と、LCD４とのインターフェース部（以下、I/Fと略す）１４と、記憶媒体１５とのI/F１６と、操作部５とのI/F１７とを含み、互いにバス１８を介して接続されるようにして構成されている。記憶媒体１５は、本体部２に設けられたスロット１９に着脱自在に装着される。
【００１７】
I/F１７には、操作部５からの操作信号が入力される。本体部２は、操作部５からの操作信号を受信する。  
ROM１２には、内視鏡装置１の種々の機能を実現するためのソフトウエアプログラム（以下、単にプログラムという）が記憶されており、CPU１１がそのプログラムを実行する。CPU１１は、受信した操作部５からの操作信号に応じた種々の機能を果たすように動作する。
【００１８】
操作部３に設けられたメニュー表示ボタン５ｄ等が操作されると、その操作に応じた信号が、I/F１７を介してCPU１１に入力されて検出される。CPU１１は、検出した信号に基づいて各種の動作制御、表示制御等を実行する。  
例えば、後述するように、CPU１１は、メニュー表示ボタン５ｄが操作されると、そのときの表示状態、設定状態等に応じて、モニタであるLCD４上にメニュー画面を表示する等の処理を実行する。  
なお、図３においては、本実施の形態において説明するLCDの画面表示制御以外の、電源、外部との通信等に関する構成要素については、省略されている。
【００１９】
検査者であるユーザは、内視鏡装置１を用いて、例えば、検査対象である航空機エンジン内のタービンブレードを検査する場合、挿入部７を手で操作してエンジン内に挿入部７を挿入して、LCD４に表示される内視鏡画像を見ながら、検査を行う。
【００２０】
内視鏡装置１は、各種機能を有しているが、一般に、LCD４にはライブの内視鏡画像（以下、単にライブ画像ともいう）が表示され、検査者は、そのライブの内視鏡画像の静止画を取得したい場合には、フリーズボタン５ｋを押下する。このボタン操作により、その静止画を記憶媒体１５に記録することができる。  
次に、内視鏡装置１の表示処理について説明する。まず、本実施の形態に係るタイトル入力処理について説明する。
３．メニュー画面表示とタイトル入力画面表示に関する処理
今、検査者がライブの内視鏡画像を見ているときに、フリーズボタン５ｋを押下したとする。図４は、フリーズボタン５ｋが押下されたときの処理の流れの例を示すフローチャートである。図５は、LCD４に表示される画面の遷移の例を説明するための図である。図４を、図５を用いて説明する。図４の処理は、CPU１１が、ROM１２に記憶されたプログラムを読み出して実行することによって、行われる。図４は、そのプログラムにおける、主としてメニュー表示画面の表示に関する処理の部分を示す。
【００２１】
CPU１１は、フリーズボタン５ｋが押下されると、挿入部７の先端部８の撮像素子からの映像信号から静止画を生成する静止画データ生成処理を実行する（ステップS1）。その結果、得られた静止画は、LCD４上に、ライブ・フリーズ画面G1として表示される。ライブ・フリーズ画面G1は、通常は、ライブ画像が表示されているが、フリーズボタン５ｋを押下すると、静止画が表示される画面である。静止画からライブ画像への戻りは、ライブ画像表示ボタン５ｃあるいはメニュー表示ボタン５ｄを押下することによって行われる。なお、内視鏡装置１に対する記録についての設定によっては、フリーズボタンの押下により、静止画と動画の両方を記録するモードに、内視鏡装置１は設定される。その場合は、ステップS1では、静止画データと動画データの生成処理が行われる。この状態では、LCD４には、生成された静止画データに基づく静止画が表示されている。このときの静止画データは、RAM１３に一時的に記憶されている。
【００２２】
次に、ユーザがメニュー表示ボタン５ｄを押したか否かが判断される（ステップS2）。メニュー表示ボタン５ｄが押下されると、すなわちメニュー画面の表示指示がされると、ステップS2でYESとなり、CPU１１は、LCD４に、図５において矢印A1で示すように、画面をライブ・フリーズ画面G1からメニュー画面G2に変更して表示する（ステップS3）。  
ステップS2は、LCD４上に階層構造でメニュー画面を表示するための指示を入力するためのメニュー表示指示部を構成する。
【００２３】
図６は、メニュー画面G2の構成を示す図である。メニュー画面G2は、メニュー表示ボタン５ｄが押下すなわちメニュー画面の表示指示がされると表示されるグラフィカル・ユーザ・インターフェース（GUI）である。
【００２４】
図６に示すように、メニュー画面G2は、最上位のレイヤー画面であって複数のメニュー項目を含むメニュー項目表示部１０１と、選択可能状態にあるメニュー項目に対応する下位レイヤー画面を表示する下位レイヤー表示部１０２とを含む。後述するように、図６では、選択可能状態にあるアイコンは、アイコン１０１ｂ１であるので、アイコン１０１ｂ１に対応する内容が、下位のレイヤー表示部１０２に表示されている。図６に示すように、メニュー画面G2は、下位レイヤー表示部１０２が上位レイヤー表示部１０１の一部を覆うような形態で表示される。このとき、下位の階層の表示部である下位レイヤー表示部１０２は、上位の階層の表示部である上位レイヤー表示部１０１の項目、すなわちアイコン１０１ｂ１から１０１ｂ６の項目、が見えるように、上位レイヤー表示部１０１の上に重ねるように表示される。
【００２５】
メニュー項目表示部１０１は、最上位のレイヤー画面であることを示す「メニュー」の文字１０１ａと、選択可能な複数のメニュー項目に対応する複数のアイコン１０１ｂとを、表示する表示領域を含む。複数のアイコン１０１ｂは、ここでは、画面上で縦方向に並んで配置された６つのアイコンである。
【００２６】
最上位のアイコン１０１ｂ１は、タイトル入力画面を表示させるためのアイコンである。同様に、その下のアイコン１０１ｂ２はホワイトバランスの実行に関する画面を表示させるためのアイコンである。さらにその下のアイコン１０１ｂ３は記録モードの設定に関する画面を表示させるためのアイコンである。
【００２７】
また、その下には、日時合わせ画面を表示させるためのアイコン１０１ｂ４と、セットアップ画面を表示させるためのアイコン１０１ｂ５と、言語設定画面を表示させるためのアイコン１０１ｂ６が、表示されている。
【００２８】
アイコン１０１ｂ１から１０１ｂ３の３つは、ユーザにとって比較的使用頻度が高い機能についてのアイコンであり、アイコン１０１ｂ４から１０１ｂ６の３つは、上記の３つのアイコンに比べて比較的使用頻度が低い機能についてのアイコンである。
【００２９】
図４に戻り、ステップS2でメニュー表示ボタン５ｄが押下されて表示されたときのメニュー画面G2では、メニュー項目中、タイトル入力画面が選択可能状態で表示される。すなわち、図６に示すように、タイトル入力画面のためのアイコン１０１ｂ１を他のアイコン１０１ｂ２から１０１ｂ６に対して区別できるように、すなわちアイコン１０１ｂ１を識別可能に、アイコン１０１ｂの枠を太く表示するようにして、選択可能状態であることが示されるように表示される。アイコンの選択可能状態は、実行指示を受けるだけで、そのアイコンの機能を実行できる状態をいう。さらに、下位レイヤー表示部１０２には、選択可能状態のアイコン１０１ｂ１に対応するタイトル入力画面が、グレーアウトされた状態で表示される。グレーアウト表示とは、例えば薄い白と黒の色だけで表示するような、輝度の低下、色の変更等の無彩色による低輝度表示をいう。
【００３０】
なお、テキスト入力画面であるタイトル入力画面は、画像データに関連して入力済みのテキストがあれば、その入力済みのテキストを表示しながら選択可能状態で表示される。
【００３１】
言い換えると、ステップS2からS3に処理が遷移してメニュー画面G2が表示された直後は、メニュー画面G2のメニュー項目表示部１０１では、タイトル入力画面が選択可能状態であることを示しながら、複数のメニュー項目が選択可能であることをユーザに示すと共に、グレーアウトされた下位レイヤー表示部１０２には、そのタイトル入力画面の内容がユーザに見えるように表示される。  
ステップS3は、検査データである画像データに関連するテキストデータを入力するためのテキスト入力画面を選択可能状態でLCD４の画面上に表示させるテキスト入力画面表示部を構成する。
【００３２】
なお、ここでは、選択可能状態のアイコンは、アイコンの枠を太くするようにしているが、色を変える等のハイライト表示をして、他のアイコンと区別できるようにしてもよい。
【００３３】
図６の画面状態で、ユーザにより６つのメニュー項目の中から１つの項目が選択されたときは、処理は、図５において矢印A2で示すように、選択されたメニュー項目の処理へと移行する（ステップS4）。これらステップS3とS4の処理が、表示制御部を構成する。
【００３４】
例えば、図６の画面状態で、ユーザが、確定ボタンを押下、すなわちジョイスティック５ｅを押下、あるいは右側へ傾倒すると、タイトル入力のメニュー項目が選択され、CPU１１は、タイトル入力画面G2の下位レイヤー表示部１０２をタイトル入力可能状態にする。その結果、LCD４の画面は、タイトル入力可能状態のメニュー画面G2b1（図８）に変更される。  
ジョイスティック５ｅの押下は、メニュー表示内の選択可能項目について選択の確定を指示する確定指示部を構成する。
【００３５】
なお、図４におけるステップS4の処理は、後述するリトリーブメニュー画面が表示された場合においても、実行される。
【００３６】
図７は、ステップS4の処理の内容を示すフローチャートである。まず、図７の処理の内容を簡単に説明し、図７の各処理の具体的な内容は、画面の表示例を用いて後述する。  
まず、CPU１１は、メニュー画面G2において選択された階層（すなわちアクティブな階層）の表示部を強調表示する（ステップS11）。
【００３７】
次に、CPU１１は、その選択された階層において、選択可能状態の項目を識別可能に、すなわち他の項目に対して区別できるように表示する（ステップS12）。  
そして、CPU１１は、上位の階層表示部において、選択された階層に関連する項目を、識別可能にすなわち他の項目に対して区別できるように表示する（ステップS13）。
【００３８】
さらに、CPU１１は、下位の階層表示部において、選択可能項目に関連する項目を表示する（ステップS14）。ステップS14では、下位の階層において、既に選択あるいは設定されている項目があれば、既に選択あるいは設定されている項目を識別可能に、すなわち他の項目に対して区別できるように表示する処理も行われる。
【００３９】
すなわち、表示制御部を構成するステップS4では、指示されて表示されたメニュー画面において選択された階層の表示部を、その選択された階層よりも上位及び下位の階層の表示部に比べて強調して表示し、選択された階層の表示部を強調して表示しているとき、選択された階層に関連する前記上位の階層における項目を識別可能に表示し、前記選択された階層の項目に関連する下位の階層における項目のうち、既に設定されている項目を識別可能に表示する処理が行われる。
【００４０】
また、選択された階層及びその関連する下位の階層を表示する場合には、選択された階層の表示部は、上位の階層の項目が見えるように上位の階層の表示部の上に重ねるように表示され、かつ下位の階層の表示部は、選択された階層の項目が見えるように選択された階層の表示部の上に重ねるように表示される。
【００４１】
なお、ステップS12は、選択可能項目が設定されていないあるいは選択されていない場合は、実行されない。同様に、ステップS13は、選択された階層に対して上位の階層がなければ、実行されず、ステップS14は、選択された階層に対して下位の階層がなければ、実行されない。  
さらになお、ステップS11からS14の４つの処理の順番は、図７に示す順番でなくてもよい。
【００４２】
なお、各メニュー画面からメニュー画面G12への復帰は、メニュー表示ボタン５ｃの押下あるいはジョイスティック５ｅの左側への傾倒により行うことができる。  
さらになお、図６の状態で、ジョイスティック５ｅを右に傾倒する（すなわち、図６の画面において、上位レイヤーの左の下位レイヤーへの移動を意味する操作をする）ことによっても、タイトル入力可能状態のメニュー画面G2b1への変更が行われる。
【００４３】
また、図６のメニュー画面G2の表示状態において、メニュー表示ボタン５ｄあるいはライブ画面表示ボタン５ｃが押下されると、図５の矢印A3で示すように、ライブ・フリーズ画面G1に戻る。
【００４４】
従って、ユーザは、階層構造において所望の階層を、確定ボタンの押下あるいはジョイスティック５ｅの傾倒に応じて、選択して、アクティブ状態にすることができる。例えば、ユーザは、メニュー画面において、図６に示すメニュー画面G2のメニュー項目表示部１０１がアクティブである状態から、図８に示すように、下位のレイヤー表示部１０２がアクティブな状態に変更することができる。
【００４５】
また、各メニュー画面からライブ・フリーズ画面G1への復帰は、下位のレイヤー表示部において項目機能の設定あるいは実行を選択により、あるいはライブ画面表示ボタン５ｃの押下により、行うことができる。
【００４６】
図８は、タイトル入力可能状態のメニュー画面G2b1を示す図である。図８に示すように、タイトル入力可能状態になると、上位のレイヤー表示部１０１がグレーアウトされ、下位のレイヤー表示部１０２が、強調表示されて明るくなる。これは、図７のステップS11の処理により、下位のレイヤー表示部１０２が、上位のレイヤー表示部１０１に比べて強調された方法で表示されるからである。また、図７のステップS13の処理により、下位のレイヤー表示部１０２は上位のレイヤー表示部１０１のアイコン１０１ｂ１で示す項目に関連するので、アイコン１０１ｂ１が他のアイコン１０１ｂ２等に対して区別できるように、太枠で表示される。
【００４７】
下位レイヤー表示部１０２のタイトル入力画面は、下位レイヤーがタイトル入力についてのものであることを示す「タイトル入力」の文字１０２ａと、点線で示すタイトル入力フィールド１０２ｂと、連番設定部１０２ｃと、ソフトウエアキーボード表示部１０２ｄと、プリセットボタン１０２ｅと、エントリーボタン１０２ｆと、キャンセルボタン１０２ｇと、作成ボタン１０２ｈとを含む。
【００４８】
そして、図６から図８へ画面が変わったとき、文字入力位置を示すカーソル１０２ｉは、タイトル入力フィールド１０２ｂの先頭位置（図８では左端の位置）に位置するように表示される。なお、既に入力済みのテキストデータがあれば、カーソル１０２ｉは、入力済みのテキストの最後の文字の隣の（右側の）位置に表示される。
【００４９】
図８のメニュー画面G2b1の状態において、ユーザは、ソフトウエアキーボード１０２ｄを利用して、タイトル入力フィールド１０２ｂに文字入力を行うことができる。
【００５０】
なお、図示しない記号、かな入力の切り替えによりカナ入力ができる画面にすることもできる。  
図９は、文字入力の例を示す図である。ユーザは、操作部３のジョイスティック５ｅを操作することによって、画面上のカーソル（図示せず）を移動させながら、入力したい文字を順番に選択していくことによって、タイトル入力フィールド１０２ｂに選択した文字からなるタイトルを入力することができる。図９は、文字「Ｅ」が選択されて、文字「Ｅ」がタイトル入力フィールド１０２ｂに入力された状態を示す。図９では、文字「E」が選択されたことが、文字「E」の枠が太く表示されることによって示されており、さらにその文字「E」が文字入力フィールド１０２ｂに入力されていることも示されている。
【００５１】
入力されたタイトルに、連番設定部１０２ｃに設定した番号が付加される。連番設定部１０２ｃは、複数桁、ここでは３桁の数字が表示される部分であり、ユーザが所定の操作を行うことによって、数字のインクリメント及びデクリメントを行うことができる。  
なお、図８と図９で説明した方法以外の他のタイトル入力方法により、タイトルの文字を入力するようにしてもよい。
【００５２】
また、ユーザは、フリーズして得た静止画に、図８等に示す入力方法により、付加するタイトルを入力しても、キャンセルボタン１０２ｇを選択すると、処理は、何もせず、ライブ・フリーズ画面G1の表示に戻る。処理を何もしないとは、入力していたタイトルの編集内容を破棄する処理をすることである。また、作成ボタン１０２ｈが選択されると、CPU１１は、入力されたテキストデータを、その静止画データに関連付ける。その後、処理は、ライブ・フリーズ画面G1の表示に戻る。
【００５３】
フリーズボタン５ｋを押下して得た静止画（あるいは静止画と動画）に、所望のタイトルを付加し終わると、画面は、ライブ・フリーズ画面G1のライブ画面に戻る。よって、ユーザは、内視鏡装置１による検査を続行することができる。
【００５４】
さらに、続いて、再度のフリーズボタン５ｋの押下により静止画を得た後に、上述したような操作をするだけで、具体的には、メニュー表示ボタン５ｄを押下し、続いてジョイスティック５ｅを押下するだけで、その得られた静止画データにタイトル入力を行うことができる。そして、所望のタイトルの入力が終了すれば、また、ライブ画面が表示され、検査を続けることができる状態に戻る。
【００５５】
よって、ユーザは、静止画を得る度に、簡単な操作で、具体的には、メニュー表示ボタン５ｄと確定ボタンであるジョイスティック５ｅの押下操作だけで、タイトル入力画面に移行することができるので、検査を効率的に行うことができる。
【００５６】
確定ボタンとしてのジョイスティック５ｅの押下操作が必要な理由は、操作内容の確認をユーザにさせることと、比較的使用頻度の高いメニュー項目がタイトル入力以外の他のメニュー項目にあることとからである。
４．リトリーブ画面
検査者は、内視鏡装置１を用いて、検査対象の静止画等を記憶媒体１５に記録することができるが、ユーザは、記録された静止画等を、LCD４に表示させることもできる。しかし、検査者は、記録された静止画等について、内視鏡装置１において、１つのフォルダに纏める等、をしたい場合がある。さらに、例えば、検査者は、既に記録した静止画あるいは動画のデータを複写、消去等したい場合もある。
【００５７】
そのために、内視鏡装置１において、操作部５のビューボタン５ｆを押下することによって、ここでは、ビューボタン５ｆを長押しすることによって、図５において矢印A4で示すように、ライブ・フリーズ画面G1のライブ画面から、リトリーブ画面G11を表示させることができる。
【００５８】
図１０は、リトリーブ画面の例を示す図である。図１０に示すように、リトリーブ画面G11は、記憶媒体６に記録された静止画等の記録画像を、サムネイル形式で表示する画面である。図１０では、９個のサムネイル画像が、マトリックス状に表示されている。
【００５９】
図１０のリトリーブ画面G11に表示された各サムネイル画像には、選択状態を示す「レ」印表示部が付加されて表示される。ユーザは、各サムネイル画像について「レ」印を付けるあるいは外すことができる。「レ」印は、記録画像の中で、処理対象として指定されているか否かを示す。静止画等の記録後、初めてリトリーブ画面G11を表示させたときは、全てのサムネイル画像の「レ」印表示部には、「レ」印は、付いていない。「レ」印表示部に「レ」印を付けることによってサムネイル画像を処理対象として選択することができる。
【００６０】
図１０に示すように、リトリーブ画面G11の上側には、フォルダ名が付けられているときはその付けられたフォルダ名が表示される。  
また、図１０の画面において、図示しないカーソルによって所望のサムネイル画像を選択することができる。その選択状態のサムネイル画像のファイル名が、リトリーブ画面G11のフォルダ名の下に表示され、そのサムネイル画像に対応する画像の撮影の日付とタイトルがリトリーブ画面の下側に表示される。  
例えば、図１０に示すように９つのサムネイル画像に「レ」印をユーザが付けた後に、メニュー表示ボタン５ｄを押下すると、図１１の画面が表示される。
【００６１】
図１１は、リトリーブ画面のメニュー画面（以下、リトリーブメニュー画面という）G12の構成を示す図である。リトリーブメニュー画面G12は、図５の矢印A5で示すように、リトリーブ画面G11の表示状態でメニュー表示ボタン５ｄが押下されると表示されるグラフィカル・ユーザ・インターフェース（GUI）である。
【００６２】
リトリーブメニュー画面G12は、最上位のレイヤー画面であって複数のメニュー項目を含むリトリーブ画面におけるメニュー項目表示部１１１と、記録された静止画等のサムネイル画像を表示する下位のレイヤー表示部１１２とを含む。図１１に示すように、リトリーブメニュー画面G12は、下位のレイヤー表示部１１２が上位のレイヤー表示部であるメニュー項目表示部１１１の一部を覆うような形態で表示される。このとき、下位の階層の表示部である下位レイヤー表示部１１２は、上位の階層の表示部である上位レイヤー表示部１１１の項目、すなわちアイコン１１１ｂ１から１１１ｂ６の項目、が見えるように、上位レイヤー表示部１１１の上に重ねるように表示される。
【００６３】
メニュー項目表示部１１１は、最上位のレイヤー画面であることを示す「メニュー」の文字１１１ａと、選択可能な複数のメニュー項目に対応する複数のアイコン１１１ｂとを、表示する表示領域を含む。複数のアイコン１１１ｂは、ここでは、画面上で縦方向に並んで配置された６つのアイコンである。
【００６４】
最上位のアイコン１１１ｂ１は、記録画像の消去を指示するためのアイコンである。同様に、その下のアイコン１１１ｂ２はフォルダを新規に作成するためのアイコンである。さらにその下のアイコン１１１ｂ３はファイルの複写を行うためのアイコンである。
【００６５】
また、その下には、ファイルの移動をするためのアイコン１１１ｂ４と、ファイル名を変更するためのアイコン１１１ｂ５と、記録されている全ての画像データを消去するためのアイコン１１１ｂ６が、表示されている。
【００６６】
ユーザは、図１１のリトリーブメニュー画面G12を表示させて、実行したい処理のアイコンを選択することによって、記録画像に対する各種処理を実行することができる。  
なお、ここでは、画面がリトリーブ画面G11からリトリーブメニュー画面G12に変更されて表示されたとき、アイコン１１１ｂ１が選択可能状態で表示されるように、設定が、予めされている。
【００６７】
図１１では、リトリーブメニュー画面G12のメニュー項目表示部１１１において、最上位のアイコン１１１ｂ１が太枠で示されて選択可能状態であることが示されている。これは、図７のステップS12の処理により、上位のレイヤー表示部１１１において、選択可能項目のアイコン１１１ｂ１が他の項目に対して区別できるように表示されるからである。そのアイコン１１１ｂ１に対応する文字「消去」１１２ａと、「キャンセル」と「実行」の２つの操作項目のボタン表示１１２ｂが、グレーアウトされた下位のレイヤー表示部１１２に表示される。特に、文字「消去」１１２ａは、アイコン１１１ｂ１の内容を示す。これは、図７のステップS14の処理により、下位のレイヤー表示部１１２において、選択可能項目のアイコン１１１ｂ１に関連する項目のアイコン１１２ｂが表示されるからである。
【００６８】
図１１に示すような、記録画像の消去を指示するためのアイコン１１１ｂ１の選択可能状態において、ジョイスティック５ｅが押下されると、図示しないが、下位のレイヤー表示部１１２は、図７のステップS11の処理により、グレーアウトされた表示から明るい表示状態に変化して強調表示され、メニュー項目表示部１１１が、グレーアウト表示状態となる。また、図７のステップS13の処理により、上位のレイヤー表示部１１１において、アイコン１１１ｂ１が、他の項目のアイコン１１１ｂ２等に対して区別できるように、表示される。
【００６９】
すなわち、リトリーブメニュー画面G12において、所望の項目を選択すると、図５において矢印A6で示すように、画面は、その選択された項目に対応するメニュー画面に変更される。
【００７０】
そして、ユーザが、下位のレイヤー表示部１１２の２つのボタン１１２ｂの一方を選択して、確定ボタンであるジョイスティック５ｅを押下すると、その選択された処理、ここでは消去処理が実行される。
【００７１】
上述したように、図１０のリトリーブ画面G11の状態で、メニュー表示ボタン５ｄを押下すると、図１１のリトリーブメニュー画面G12が表示され、選択された階層のメニュー項目表示部１１１は、図７のステップS11の処理により、下位の階層の下位レイヤー表示部１１２に比べて強調された方法で表示されて明るく表示される。
【００７２】
なお、本実施の形態では、強調表示は、下位レイヤー表示部１１２をグレーアウト表示することによって行われるが、他の方法によって行ってもよい。例えば、選択された階層のレイヤー表示部だけ、輝度を上げる、あるいは目立つ色に変更する、等の方法がある。
【００７３】
また、リトリーブメニュー画面G12において、上位の階層のメニュー項目表示部１１１では、複数のメニュー項目が選択可能であることと、グレーアウト表示された下位のレイヤー表示部１１２では、図７のステップS14の処理により、メニュー項目表示部１１１で選択可能状態のアイコンに関連するあるいは対応する機能すなわち操作項目の内容がユーザに見えるように表示される。
【００７４】
なお、リトリーブメニュー画面G12の表示状態において、メニュー表示ボタン５ｄを押下すると、図５の矢印A7で示すように、画面表示は、図１０のリトリーブ画面G11に戻る。さらになお、リトリーブ画面G11の表示状態において、ライブ画面表示ボタン５ｃを押下すると、図５の矢印A8で示すように、画面は、ライブ・フリーズ画面G1に戻る。
【００７５】
また、フォルダを新規に作成するためのアイコン１１１ｂ２を選択する場合は、図１１の表示状態において、ジョイスティック５ｅを下側に傾倒すると、図１２に示すように、図７のステップS12の処理により、アイコン１１１ｂ２が太枠で示されて選択可能状態になる。図１２は、アイコン１１１ｂ２が選択可能状態であるメニュー画面G12を示す図である。
【００７６】
図１２の表示状態で、確定ボタンであるジョイスティック５ｅを押下すると、その選択された処理、ここでは新規フォルダの作成処理が実行される。図１３は、新規フォルダ作成のための画面G12b3を示す図である。
【００７７】
図１３の画面G12b3に示すように、下位のレイヤー表示部１１２には、下位のレイヤー表示部１１２が新規なフォルダの作成についてのものであることを示す「新規フォルダ作成」の文字１１２ｃと、点線で示すフォルダ名入力フィールド１１２ｄと、ソフトウエアキーボード表示部１１２ｅと、プリセットボタン１１２ｆと、キャンセルボタン１１２ｇと、作成ボタン１１２ｈと、文字入力位置を示すカーソル１０２ｉが表示される。フォルダ名入力フィールド１１２ｄと、ソフトウエアキーボード表示部１１２ｅと、プリセットボタン１１２ｆと、キャンセルボタン１１２ｇと、作成ボタン１１２ｈと、文字入力位置を示すカーソル１０２ｉは、それぞれ、図７で説明したタイトル入力フィールド１０２ｂと、ソフトウエアキーボード表示部１０２ｄと、プリセットボタン１０２ｅと、キャンセルボタン１０２ｇと、作成ボタン１０２ｈと、カーソル１０２ｉとの同様の機能を有するものである。よって、それらのボタンの使用方法の説明は省略する。
【００７８】
図１３においても、図７のステップS11の処理により、下位のレイヤー表示部１１２が、上位のレイヤー表示部１１１に比べて強調された方法で表示される。また、図７のステップS13の処理により、上位のレイヤー表示部１１１において、アクティブな下位のレイヤー表示部１１２に関連する項目であるアイコン１１１ｂ２が、他の項目のアイコン１１１ｂ１，１１１ｂ３等に対して区別できるように、表示される。
５．他のメニュー項目
次に、メニュー画面G2とリトリーブメニュー画面G12に関する他のメニュー項目について説明する。
５．１  メニュー画面G2  
メニュー画面G2における、アイコン１０１ｂ２から１０１ｂ６の処理について説明する。  
ユーザは、ジョイスティック５ｅを上下方向に傾倒させることによって、メニュー項目表示部１０１の中から任意の項目を選択可能状態にすることができる。選択可能状態のアイコンは、その枠が太く表示される。
（ホワイトバランス）
図１４は、アイコン１０１ｂ２が選択可能状態であることを示す図である。図１４の表示状態で、ジョイスティック５ｅの押下する、あるいはジョイスティック５ｅを右側に傾倒すると、ホワイトバランス調整のアイコン１０１ｂ２が選択され、下位のレイヤー表示部１０２は、強調表示され、明るくなる。図１４の場合、図７のステップS11の処理により、上位のレイヤー表示部１０１が、下位のレイヤー表示部１０２に比べて強調された方法で表示される。図７のステップS12の処理により、上位のレイヤー表示部１０１において、選択可能状態の項目のアイコン１０１ｂ２が、他の項目のアイコン１０１ｂ１，１０１ｂ３等に対して区別できるように、表示される。また、図７のステップS14の処理により、下位のレイヤー表示部１０２において、アクティブな上位のレイヤー表示部１０１の選択可能項目に関連する項目が表示される。
【００７９】
図１５は、ホワイトバランスの実行可能状態のメニュー画面G2b2を示す図である。図１５に示すように、ホワイトバランス実行可能状態になると、上位のレイヤー表示部１０１がグレーアウトされ、下位のレイヤー表示部１０２が、強調表示されて明るくなる。また、上位のレイヤー表示部１０１では、図７のステップS13の処理により、アイコン１０１ｂ２が、他のアイコンに対して区別できるように、太枠で表示されている。
【００８０】
下位のレイヤー表示部１０２のホワイトバランス調整画面は、下位のレイヤー表示部１０２がホワイトバランスについてのものであることを示す「ホワイトバランス」の文字２０２ａと、操作項目であるキャンセルボタン２０２ｂ及び実行ボタン２０２ｃとを含む。
【００８１】
例えば、図１５では、図７のステップS12の処理により、キャンセルボタン２０２ｂが太枠で示されており、選択可能状態すなわち実行可能状態であることが示されているが、ジョイスティック５ｅが押下されてキャンセルボタン２０２ｂが選択されると、ホワイトバランスの調整処理は、キャンセルされて、画面は、図１４のメニュー画面G2に戻る。実行ボタン２０２ｃが選択されると、ホワイトバランス調整が実行される。ホワイトバランス調整の処理が終了すると、画面は、図１４のメニュー画面G2に戻る。
（記録）
図１６は、アイコン１０１ｂ３が選択可能状態であることを示す図である。図１４の表示状態で、ジョイスティック５ｅを下側に傾倒して、記録のアイコン１０１ｂ３を選択可能状態にすると、下位のレイヤー表示部１０２には、図７のステップS14の処理により、記録についての複数の選択可能項目（図１６の場合は、２つのアイコン）が、グレーアウト表示された状態でユーザに見えるように表示される。また、図１６では、上位のレイヤー表示部１０１は、図７のステップS11の処理により、強調表示されている。グレーアウト表示された下位のレイヤー表示部１０２には、選択されたアイコンは、記録に関するものであることを示す文字「記録」１０２ｐ１と、選択可能項目の２つのアイコン１０２ｐ２，１０２ｐ３とが表示される。アイコン１０２ｐ２は、プリントスクリーンに関し、アイコン１０２ｐ３は、記録ボタン操作に関するものである。なお、図１６では、レイヤー表示部１０２よりもさらに下位のレイヤー表示部１０３もグレーアウト表示されているが、下位のレイヤー表示部１０２においてアイコンが選択されていないため、何も表示されていない。
【００８２】
図１６の表示状態からジョイスティック５ｅを押下するあるいは右側へ傾倒すると、画面は、図１７の画面に変わる。図１７は、記録が選択されたときのメニュー画面G2b3を示す図である。図１７では、図７のステップS11の処理により、下位のレイヤー表示部１０２が強調表示されて明るくなり、上位のレイヤー表示部１０１はグレーアウト表示となる。図１７では、図７のステップS12の処理により、２つの選択項目のうち、１つのアイコン１０２ｐ３が太枠で表示され、選択可能状態であることが示されている。さらに、レイヤー表示部１０２よりも下位のレイヤー表示部１０３が、グレーアウト表示される。グレーアウト表示された下位のレイヤー表示部１０３には、選択可能状態のアイコン１０２ｐ３は、記録ボタン操作に関するものであることを示す文字「記録ボタン操作」１０２ｐ３１と、「静止画＋動画」と「静止画」の２つのアイコン１０２ｐ３２，１０２ｐ３３とが含まれる。すなわち、図１７に示すように、メニュー画面G2b3において、下位のレイヤー表示部１０２の選択可能状態の項目に対応する複数の選択項目が、グレーアウト表示された下位のレイヤー表示部１０３において、さらに表示される。
【００８３】
以上のように、選択された階層の表示部には、上位の階層において選択された項目の内容を示す文字（ここでは、「記録」）が表示され、下位の階層の表示部には、選択された階層において選択可能状態の項目の内容を示す文字（ここでは、「記録ボタン操作」）が表示される。さらに、下位の階層の表示において、下位の階層における項目の内容を示す文字（ここでは、「静止画＋動画」と「静止画」）も表示される。
【００８４】
図１７は、３階層のレイヤー表示を示しているので、最上位のレイヤー表示部１０１が上位のレイヤー表示部であり、レイヤー表示部１０２が中位のレイヤー表示部であり、レイヤー表示部１０３が下位のレイヤー表示部ということができる。下位のレイヤー表示部の上に上位のレイヤー表示部が表示されるが、下位のレイヤー表示部は、上位のレイヤー表示部に表示されている項目表示が見えるように、逆に言えば上位のレイヤー表示部に表示されている項目表示を邪魔しないように、上位のレイヤー表示部の上に表示される。
【００８５】
図１７の表示状態において、ジョイスティック５ｅを押下する、あるいはジョイスティック５ｅを右側に傾倒して、アイコン１０２ｐ３が選択されると、画面は、図１８の画面に変更される。図１８は、記録ボタン操作が選択されたときのメニュー画面G2b31を示す図である。
【００８６】
図１８では、図７のステップS11の処理により、最下位のレイヤー表示部１０３が強調表示されて明るくなり、図７のステップS12の処理により、選択項目の一方のアイコン１０２ｐ３２が選択可能状態となっている。さらに、図１８では、下位の２つのレイヤー表示部１０１と１０２において、図７のステップS13の処理により、最下位のレイヤー表示部１０３に関連する項目１０１ｂ３と１０２ｐ３が、識別可能にすなわち他の項目に対して区別できるように表示されている。
【００８７】
図１７では、図７のステップS13の処理により、グレーアウト表示された上位のレイヤー表示部１０１においてアイコン１０１ｂ３が太く識別可能に表示されているので、ユーザは、強調表示された中位のレイヤー表示部１０２は、上位のレイヤー表示部１０１のアイコン１０１ｂ３の選択により表示されていることを容易に理解することができる。
【００８８】
また、図１７では、図７のステップS14の処理により、グレーアウト表示された下位のレイヤー表示１０３部において２つのアイコン１０２ｐ３２と１０２ｐ３３が表示され、特にアイコン１０２ｐ３２が太く表示されて識別可能に表示されているので、ユーザは、強調表示された中位のレイヤー表示部１０２において選択可能状態のアイコン１０２ｐ３については、２つの選択項目のうちアイコン１０２ｐ３２が選択すなわち設定されていることを容易に理解することができる。特に、下位のレイヤー表示部１０３の２つのアイコン１０２ｐ３２と１０２ｐ３３は、その内容を示す文字が含まれて表示されている。アイコン１０２ｐ３２には、文字「静止画＋動画」が、アイコン１０２ｐ３３には、文字「静止画」が含まれている。よって、ユーザは、図１７の表示状態から、アイコン１０２ｐ３は、記録ボタン操作であり、記録ボタン操作では、「静止画＋動画」が選択すなわち設定されていることを容易に理解することができる。
【００８９】
すなわち、階層構造の複数のレイヤー表示が行われる場合に、ユーザは、強調表示されている中位のレイヤー（選択されている階層レイヤー）が、上位のレイヤーのどの項目選択の結果として表示されているかを容易に理解することができ、さらに、その中位のレイヤーの中で選択可能状態のアイコンについて選択すなわち設定されている内容を、下位のレイヤーから理解できるように、複数の階層レイヤー表示が行われる。
（日時設定）
図１９は、アイコン１０１ｂ４が選択可能状態であることを示す図である。図１９の表示状態で、ジョイスティック５ｅを押下する、あるいはジョイスティック５ｅを右側に傾倒すると、日時設定のアイコン１０１ｂ４が選択され、図７のステップS11の処理により、図２０に示すように、上位のレイヤー表示部１０１がグレーアウトされ、下位のレイヤー表示部１０２は、強調表示され明るくなる。なお、図１９に示すように、グレーアウト表示された下位レイヤー表示部１０２には、下位レイヤーが日時設定についてのものであることを示す「日時合わせ」の文字１０２ｑ１と、設定された日時を表示する日時表示部１０２ｑ２と、設定された「年」、「月」及び「日」の並び順を表示する並び順表示部１０２ｑ３とが表示される。
【００９０】
図２０から図２２は、日時設定の実行可能状態のメニュー画面G2b4を示す図である。図２０から図２２に示すように、例えば、図２０では、「年」の設定部が太枠で示され、上と下にそれぞれ増加と減少を示すマーク１０２ｑ４、１０２ｑ５が示されており、ジョイスティック５ｅの上下方向へ傾倒操作により、ユーザは所望の「年」を設定することができる。ユーザは、ジョイスティック５ｅを右側にあるいは左側に傾倒操作することにより、設定する対象を、「月」、「日」、「時」及び「分」の部分に移動して、「年」と同様にして所望の「月」等を設定することができる。図２１では、「分」の設定部が太枠で示され、図２２では、「年」、「月」及び「日」の並び順表示部１０２ｑ３が太枠で示されている。ユーザは、ジョイスティック５ｅを右側に傾倒操作することにより、設定する対象を、図２１の「分」の設定部から、図２２の並び順表示部１０２ｑ３の部分に移動させることができる。
【００９１】
その並び順の設定では、「月」、「日」及び「年」というような並び順の設定、あるいは「日」、「月」及び「年」というような並び順の設定も可能となっている。日時の設定が終了すると、画面は、図１９のメニュー画面G2に戻る。図１９では、設定された日時がグレーアウト表示された下位のレイヤー表示部１０２に表示される。なお、ユーザは、図２０の画面の状態から、ジョイスティック５ｅを左に傾倒操作をしても、画面を、図１９のメニュー画面G2に戻すことができる。
（セットアップ）
図２３は、アイコン１０１ｂ５が選択可能状態であることを示す図である。図１９の表示状態で、ジョイスティック５ｅを押下して、セットアップのアイコン１０１ｂ５を選択すると、図７のステップS14の処理により、下位のレイヤー表示部１０２には、セットアップについての複数の選択可能項目（図２３の場合は、３つのアイコン）が、グレーアウト表示された状態でユーザに見えるように表示される。グレーアウト表示された中位のレイヤー表示部１０２には、選択されたアイコンは、セットアップに関するものであることを示す文字「セットアップ」１０２ｒ１と、選択可能項目の３つのアイコン１０２ｒ２，１０２ｒ３、１０２ｒ４とが含まれる。アイコン１０２ｒ２は、フォーマットに関し、アイコン１０２ｒ３は、画面表示に関し、アイコン１０２ｒ４は、ビープ音に関するものである。なお、図１７では、中位のレイヤー表示部１０２よりも下位のレイヤー表示部１０３もグレーアウト表示されているが、中位のレイヤー表示部１０２においてアイコンが選択されていないため、何も表示されていない。
【００９２】
図２３の表示状態からジョイスティック５ｅを押下するあるいは右側へ傾倒すると、画面は、図２４の画面に変わる。図２４は、セットアップが選択されたときのメニュー画面G2b5を示す図である。図２４は、図１７と同様に、３階層のレイヤー表示を示している。
【００９３】
図２４では、図７のステップS11の処理により、中位のレイヤー１０２が強調表示されて、明るくなり、上位レイヤー表示部１０１はグレーアウト表示となる。図２４では、図７のステップS12の処理により、３つの選択項目のうち、１つ目のアイコン１０２ｒ２が太枠で識別可能に表示され、選択可能状態であることが示されている。さらに、図７のステップS14の処理により、中位のレイヤー表示部１０２の、アイコン１０２ｒ２に対応するさらに下位のレイヤー表示部１０３が、グレーアウト表示される。グレーアウト表示された下位のレイヤー表示部１０３には、選択されたアイコンは、フォーマットに関するものであることを示す文字「フォーマット」１０２ｒ２１と、「キャンセル」と「実行」の２つの操作項目のアイコン１０２ｒ２２，１０２ｒ２３とが含まれる。また、「キャンセル」の方が選択可能状態で表示されているので、その「キャンセル」についての説明用のテキストが、説明表示部１０２ｒ２４に表示されている。すなわち、図２４に示すように、メニュー画面G2b5において、下位のレイヤー表示部１０２の選択可能状態の項目に対応する複数の選択項目が、グレーアウト表示された下位のレイヤー表示部１０３において、さらに表示される。
【００９４】
図２４の表示状態において、ジョイスティック５ｅを押下する、あるいはジョイスティック５ｅを右側に傾倒して、アイコン１０２ｒ２が選択されると、画面は、図２５の画面に変更される。図２５は、フォーマットが選択されたときのメニュー画面G2b51を示す図である。  
図２５では、図７のステップS11の処理により、最下位のレイヤー表示部１０３が強調表示されて明るくなり、選択項目の一方のアイコン１０２ｒ２２が選択可能状態となっている。
【００９５】
図２４では、図７のステップS13の処理により、グレーアウト表示された上位のレイヤー表示部１０１においてアイコン１０１ｂ５が太く表示されているので、ユーザは、強調表示された中位のレイヤー表示部１０２は、上位のレイヤー表示部１０１のアイコン１０１ｂ５の選択により表示されていることを容易に理解することができる。
【００９６】
さらに、図２４では、図７のステップS14の処理により、グレーアウト表示された下位のレイヤー表示１０３部においてアイコン１０２ｒ２２が太く表示されているので、ユーザは、強調表示された中位のレイヤー表示部１０２において選択可能状態のアイコン１０２ｒ２については、アイコン１０２ｒ２２又は１０２ｒ２３が実行可能であることを容易に理解することができる。特に、下位のレイヤー表示部１０３の２つのアイコン１０２ｒ２２と１０２ｒ２３は、その内容を示す文字が含まれて表示されている。アイコン１０２ｒ２２には、文字「キャンセル」が、アイコン１０２ｒ２３には、文字「実行」が含まれている。よって、ユーザは、図２８の表示状態から、アイコン１０２ｒ２は、フォーマットであり、フォーマットでは、「キャンセル」又は「実行」が設定可能であることを容易に理解することができる。
【００９７】
すなわち、階層構造の複数のレイヤー表示が行われる場合に、ユーザは、強調表示されている中位のレイヤー（選択されている階層レイヤー）が、上位のレイヤーのどの項目選択の結果として表示されているかを容易に理解することができ、さらに、その選択階層レイヤーの中で選択可能状態のアイコンについて実行可能な内容を、下位のレイヤーから理解できるように、複数の階層レイヤー表示が行われる。
【００９８】
図２４の表示状態において、ジョイスティック５ｅを下側へ傾倒すると、画面は、図２６の画面に変更される。図２６は、セットアップが選択されたときのメニュー画面G2b5を示す図である。図２６の表示状態において、ジョイスティック５ｅを押下するあるいはジョイスティック５ｅを右側に傾倒すると、アイコン１０２ｒ３が選択され、画面は、図２７の画面に変更される。図２７は、画面表示が選択されたときのメニュー画面G2b52を示す図である。
【００９９】
図２７では、図７のステップS11の処理により、最下位のレイヤー表示部１０３が強調表示されて明るくなり、選択項目の一つのアイコン１０２ｒ３２が選択可能状態となっている。
【０１００】
図２６では、図７のステップS13の処理により、グレーアウト表示された上位のレイヤー表示部１０１においてアイコン１０１ｂ５が太く識別可能に表示されているので、ユーザは、強調表示された中位のレイヤー表示部１０２は、上位のレイヤー表示部１０１のアイコン１０１ｂ５の選択により表示されていることを容易に理解することができる。
【０１０１】
また、図２６では、図７のステップS14の処理により、グレーアウト表示された下位のレイヤー表示１０３部においてアイコン１０２ｒ３２が太く識別可能に表示されているので、ユーザは、強調表示された中位のレイヤー表示部１０２において選択可能状態のアイコン１０２ｒ３については、アイコン１０２ｒ３２が選択すなわち設定されていることを容易に理解することができる。特に、下位のレイヤー表示部１０３の４つのアイコン１０２ｒ３２、１０２ｒ３３，１０２ｒ３４，１０２ｒ３５は、その内容を示す文字が含まれて表示されている。アイコン１０２ｒ３２には、文字「全表示」が、アイコン１０２ｒ３３には、文字「日時＋ロゴ」が、アイコン１０２ｒ３４には、文字「日時」が、アイコン１０２ｒ３５には、文字「無し」が、含まれている。よって、ユーザは、図２６の表示状態から、アイコン１０２ｒ３は、画面表示であり、画面表示では、現在「全表示」が選択すなわち設定されていることを容易に理解することができる。
【０１０２】
図２６の表示状態において、ジョイスティック５ｅを下側に傾倒すると、画面は、図２８の画面に変更される。図２８は、セットアップが選択されたときのメニュー画面G2b5を示す図である。図２８の表示状態において、ジョイスティック５ｅを押下するあるいはジョイスティック５ｅを右側に傾倒すると、アイコン１０２ｒ４が選択され、画面は、図２９の画面に変更される。図２９は、ビープ音設定が選択されたときのメニュー画面G2b53を示す図である。
【０１０３】
図２９では、図７のステップS11の処理により、最下位のレイヤー表示部１０３が強調表示されて明るくなり、選択項目の一方のアイコン１０２ｒ４２が選択可能状態となっている。
【０１０４】
図２８では、図７のステップS13の処理により、グレーアウト表示された上位のレイヤー表示部１０１においてアイコン１０１ｂ５が太く識別可能に表示されているので、ユーザは、強調表示された中位のレイヤー表示部１０２は、上位のレイヤー表示部１０１のアイコン１０１ｂ５の選択により表示されていることを容易に理解することができる。
【０１０５】
また、図２８では、図７のステップS14の処理により、グレーアウト表示された下位のレイヤー表示１０３部においてアイコン１０２ｒ４２が太く識別可能に表示されているので、ユーザは、強調表示された中位のレイヤー表示部１０２において選択可能状態のアイコン１０２ｒ４については、２つのアイコン１０２ｒ４２又は１０２ｒ４３が設定可能であり、かつアイコン１０２ｒ４２が選択すなわち設定されていることを容易に理解することができる。特に、下位のレイヤー表示部１０３の２つのアイコン１０２ｒ４２、１０２ｒ４３は、その内容を示す文字が含まれて表示されている。アイコン１０２ｒ４２には、文字「入」が、アイコン１０２ｒ４３には、文字「切」が、含まれている。よって、ユーザは、図２８の表示状態から、アイコン１０２ｒ４は、ビープ音設定であり、ビープ音設定では、現在「入」が設定されていることを容易に理解することができる。
（言語設定）
図２３の表示状態で、ジョイスティック５ｅを下へ傾倒すると、画面は、図３０の画面に変更される。  
図３０は、アイコン１０１ｂ６が選択可能状態であることを示す図である。図３０の表示状態で、ジョイスティック５ｅの押下する、あるいはジョイスティック５ｅを右側に傾倒すると、言語設定のアイコン１０１ｂ６が選択され、図示しないが、下位レイヤー表示部１０２には、言語設定の実行を指示するための表示が、強調表示され、明るくなる。
【０１０６】
図３０に示すように、図７のステップS14の処理により、グレーアウトされた下位レイヤー表示部１０２には、下位レイヤーが言語設定についてのものであることを示す「言語設定」の文字１０２ｓ１と、設定可能な言語が、複数、ここでは、２つが表示される。図３０では、「日本語」と「英語」が設定できることが、ボタン１０２ｓ２，１０２ｓ３に、文字表示と共に表示される。そして、図３０に示すように、図７のステップS14の処理により、ボタン１０２ｓ２が、太枠で識別可能に表示され、現在「日本語」が選択すなわち設定されていることがユーザに判るようになっている。
５．２  メニュー画面G12  
図１１に示すように、メニュー画面G12には、上述したアイコン１１１ｂ１、１１１ｂ２の他にも、４つのアイコンが含まれている。アイコン１１１ｂ３から１１１ｂ６のアイコンの処理について説明する。
【０１０７】
図１１の表示状態において、ユーザは、ジョイスティック５ｅを上下方向に傾倒させることによって、メニュー項目表示部１０１の中から任意のアイコンを選択可能状態にできる。選択可能状態のアイコンは、その枠が太く表示される。
（ファイルの複写）
図１１において、アイコン１１１ｂ３は、ファイルの複写の操作をするためのアイコンである。アイコン１１１ｂ３は、ファイルのコピーを作成する場合に使用される。
（ファイルの移動）
図１１において、アイコン１１１ｂ４は、ファイルの移動の操作をするためのアイコンである。アイコン１１１ｂ４は、移動させたいファイルをあるフォルダから他のフォルダへ移動させる場合に使用される。
（ファイル名の変更）
図１１において、アイコン１１１ｂ５は、ファイル名を変更するためのアイコンである。  
図３１は、アイコン１１１ｂ５が選択されると表示される画面G12b5を示す図である。ファイル名は、画像ファイルが例えばDCFフォーマットの場合、その規格におけるファイル名である。そのファイル名を変更したい場合に、図３１に示すように、下位のレイヤー表示部１１２には、アクティブ状態にある下位のレイヤー表示部１１２がファイル名の変更に関するものであることを示す文字１２１ａと、その文字１２１ａの下には、ファイル名入力フィールド１２１ｂが配置されている。そして、そのファイル名入力フィールド１２１ｂの下には、文字を入力するための各種ボタン、ソフトウエアキーボード等が表示された領域１２１ｃが配置される。さらに、画面の一部には、ファイル名を変更する画像のサムネイル画像を表示する領域１２１ｄが設けられている。
【０１０８】
ファイル名は、当初は、自動で生成されて各画像に付加されるので、その変更を行う場合、ファイル名入力フィールド１２１ｂには、当初付加されたファイル名あるいは前回変更されたファイル名が表示される。ユーザは、その現在のファイル名に対して、領域１２１ｃの各種キー、ボタン等を用いて、ファイル名の変更を行うことができる。
６．画面の遷移  
上述したように、ユーザによる所定の操作に応じて、LCD４に表示される画面は遷移するが、ここで、上述した画面遷移を簡単に纏めて説明する。  
なお、以下、図３２をメニュー画面G2及びリトリーブメニュー画面G12における一部の項目を選択した例で説明するが、各項目の選択によって表示される画面は、上述したような画面が表示される。
【０１０９】
図３２は、内視鏡装置１のLCD４の画面遷移を示す図である。ライブ・フリーズ画面G1において、メニュー表示ボタン５ｄを押下すると、画面表示は、矢印A11で示すように、ライブ・フリーズ画面G1からメニュー画面G2へ遷移する。メニュー画面G2において、ジョイスティック５ｅを上下方向に傾倒させると、メニュー画面G2において、画面表示は、矢印A12で示すように、メニュー項目の選択をすることができる。メニュー画面G2において、メニュー表示ボタン５ｄあるいはライブ画面表示ボタン５ｃを押下すると、画面表示は、矢印A13で示すように、メニュー画面G2からライブ・フリーズ画面G1へ遷移する。
【０１１０】
メニュー画面G2においてタイトル入力のアイコンが選択されているときに、ジョイスティック５ｅを押下あるいは右へ傾倒させると、画面表示は、矢印A14で示すように、タイトル入力可能状態のメニュー画面G2b1へ遷移する。
【０１１１】
メニュー画面G2b1において、画面上でキャンセルが選択されると、画面表示は、矢印A15で示すように、メニュー画面G2b1からライブ・フリーズ画面G1へ遷移する。また、メニュー画面G2b1において、メニュー表示ボタン５ｄあるいはライブ画面表示ボタン５ｃが押下されると、画面表示は、矢印A16で示すように、メニュー画面G2b1からライブ・フリーズ画面G1へ遷移する。
【０１１２】
メニュー画面G2においてタイトル入力以外のアイコンが選択されているときに、ジョイスティック５ｅを押下あるいは右へ傾倒させると、画面表示は、矢印A17で示すように、メニュー画面G2において選択された項目の下位のレイヤー表示部が強調表示される。強調表示された下位のレイヤー表示部に選択項目があれば、選択項目のアイコンを選択可能状態にしてジョイスティック５ｅを押下するあるいは右へ傾倒させると、画面は、矢印A18で示すように、選択された項目の下位のレイヤー表示部が強調表示される。図３６では、記録の項目のアイコンが選択されて、画面表示は、画面G2b3に遷移し、さらに続いて画面G2b31に遷移した例が示されている。
【０１１３】
下位のレイヤー表示部が強調表示されているときに、メニュー表示ボタン５ｄを押下するあるいはジョイスティック５ｅを左側に傾倒すると、画面表示は、矢印A19及びA20で示すように、上位のレイヤー表示部が強調表示される画面に遷移する。  
また、下位のレイヤー表示部において項目機能の設定あるいは実行を選択すると、画面表示は、矢印A21で示すようにライブ・フリーズ画面にG1に戻る。
【０１１４】
ライブ・フリーズ画面G1の表示状態において、ビューボタン５ｆを長い時間押し続けると、画面表示は、矢印A22で示すように、ライブ・フリーズ画面G1からリトリーブ画面G11へ遷移する。
【０１１５】
リトリーブ画面G11において、メニュー表示ボタン５ｄが押下されると、画面表示は、矢印A23で示すように、リトリーブ画面G11からリトリーブメニュー画面G12へ遷移する。リトリーブメニュー画面G12において、ジョイスティック５ｅを上下方向に傾倒させると、リトリーブメニュー画面G12において、画面表示は、矢印A24で示すように、メニュー項目の選択をすることができる。
【０１１６】
リトリーブメニュー画面G12において、メニュー表示ボタン５ｄを押下すると、画面表示は、矢印A25で示すように、リトリーブメニュー画面G12からリトリーブ画面G11へ遷移する。  
リトリーブ画面G11において、ライブ画面表示ボタン５ｃを押下すると、画面表示は、矢印A26で示すように、リトリーブ画面G11からライブ・フリーズ画面G1へ遷移する。
【０１１７】
リトリーブメニュー画面G12において新規フォルダ作成のアイコンが選択されているときに、ジョイスティック５ｅを押下あるいは右へ傾倒させると、画面表示は、矢印A26で示すように、新規フォルダ作成の画面G12b3へ遷移する。
【０１１８】
新規フォルダ作成の画面G12b3において、画面上でキャンセルが選択されると、画面表示は、矢印A27で示すように、メニュー画面G12b3からリトリーブ画面G11へ遷移する。また、新規フォルダ作成の画面G12b3において、メニュー表示ボタン５ｄが押下されると、画面表示は、矢印A28で示すように、画面G12b3からリトリーブ画面G11へ遷移する。
【０１１９】
以上のように、上述した本実施の形態の内視鏡装置１によれば、ユーザがメニュー画面において、所望の機能に対応する項目を各階層で選択しなくても、上位の階層の項目との関連及び下位の階層の設定内容を把握することができる。よって、結果として、ユーザは、従来のような繁雑な操作が不要となり、検査の効率を上げることができる。
【０１２０】
なお、上述した内視鏡装置は、非破壊検査装置の一つであり、上述した本実施の形態に係るテキスト入力方法は、検査データとしての超音波画像等を取得するような非破壊検査装置においても、適用可能である。
【０１２１】
本発明は、上述した実施の形態に限定されるものではなく、本発明の要旨を変えない範囲において、種々の変更、改変等が可能である。
【符号の説明】
【０１２２】
１  内視鏡装置、２  本体部、３  スコープユニット、４  液晶パネル、５  操作部、５ａ  グリップ部、５ｂ  ハンガー、５ｃ  ライブ画面表示ボタン、５ｄ  メニュー表示ボタン、５ｅ、５ｇ  ジョイスティック、５ｆ  ビューボタン、５ｈ  ズームレバー、５ｉ  輝度レバー、６  ユニバーサルケーブル、７  挿入部、８  先端部、９  湾曲部、１０  先端キャップ、１１  CPU、１２  ROM、１３  RAM、１４、１６、１７  インターフェース部、１５  記憶媒体、１８  バス、１９  スロット
【図１】
2011065482.tif 000003
【図２】
2011065482.tif 000004
【図３】
2011065482.tif 000005
【図４】
2011065482.tif 000006
【図５】
2011065482.tif 000007
【図６】
2011065482.tif 000008
【図７】
2011065482.tif 000009
【図８】
2011065482.tif 000010
【図９】
2011065482.tif 000011
【図１０】
2011065482.tif 000012
【図１１】
2011065482.tif 000013
【図１２】
2011065482.tif 000014
【図１３】
2011065482.tif 000015
【図１４】
2011065482.tif 000016
【図１５】
2011065482.tif 000017
【図１６】
2011065482.tif 000018
【図１７】
2011065482.tif 000019
【図１８】
2011065482.tif 000020
【図１９】
2011065482.tif 000021
【図２０】
2011065482.tif 000022
【図２１】
2011065482.tif 000023
【図２２】
2011065482.tif 000024
【図２３】
2011065482.tif 000025
【図２４】
2011065482.tif 000026
【図２５】
2011065482.tif 000027
【図２６】
2011065482.tif 000028
【図２７】
2011065482.tif 000029
【図２８】
2011065482.tif 000030
【図２９】
2011065482.tif 000031
【図３０】
2011065482.tif 000032
【図３１】
2011065482.tif 000033
【図３２】
2011065482.tif 000034